(57)【要約】
【課題】簡単に組み立てることができ、軽量で移動が容易であり、種々の商品及び量に適合可能であり、廃棄処分も簡単な山積み商品展示ボックスを得る。
【解決手段】店舗で商品を販売するため多数山積みにして展示するボックス１は、中央底板部材２と、中央底板部材２に対して横方向に制限された範囲内で互いに遠ざかる又は接近可能に摺動自在に連結した１対の横底板部材３と、これら１対の横底板部材３の三方のフランジ部９Ａ，９Ｂにそれぞれ固定し、後壁の少なくとも一部をもなすほぼコの字１対の側壁部材４と、１対の側壁部材４相互を横方向に制限された範囲内で互いに遠ざかる又は接近するよう摺動自在に連結する中間後壁部材５とにより構成する。各部材２，３，４，５はそれぞれに対応する形状の段ボールシートを折り曲げて形成し、部材相互の摺動自在の連結は長孔‐ピン手段を介して行う。
【選択図】図１
0003099904.tif 000002
【実用新案登録請求の範囲】
【請求項１】
　店舗で商品を販売するため多数山積みにして展示するパレットにおいて、
　ほぼ矩形の中央底板部材と、前記中央底板部材の左右で、この中央底板部材に対して横方向に制限された範囲内で互いに遠ざかる又は接近可能に摺動自在に連結した１対の横底板部材であって、互いに対向する端縁側を除く三方の端縁から直立するフランジ部を有する１対の横底板部材と、これら１対の横底板部材の前記三方のフランジ部にそれぞれ固定し、後壁の少なくとも一部をもなすほぼコの字１対の側壁部材であって、それぞれ対応の横底板部材と一緒に、中央底板部材に対して前記横方向に制限された範囲内で互いに遠ざかる又は接近するよう摺動自在に、また互いに直接的に、又は中間後壁部材を介してこの中間後壁部材に対しても摺動自在に連結した１対の側壁部材とにより構成し、前記各部材をそれぞれに対応する形状の段ボールシートを折り曲げて形成し、前記部材相互の摺動自在の連結は長孔‐ピン手段を介して行うことを特徴とする山積み商品展示パレット。
【請求項２】
　前記側壁部材は、商品を取り出し易くするため前面側を下方から上方に向かって拡開するよう切除した請求項１記載の山積み商品展示パレット。
【請求項３】
　前記横底板部材と前記中央底板部材との間に生ずる段差を埋める化粧板を用意した請求項１又は２記載の山積み商品展示パレット。
【請求項４】
　前記中央底板部材及び前記横底板部材の底面にキャスターを設けた請求項１乃至３のうちのいずれか１一項に記載の山積み商品展示パレット。
【請求項５】
　前記側壁部材の前面及び側面に装飾的なグラフィックを貼付した請求項１乃至４のうちのいずれか１項に記載の山積み商品展示パレット。
【考案の詳細な説明】
【技術分野】
【０００１】
　本考案は、店舗で商品を販売するため多数山積みにして展示するパレットに関するものである。
【背景技術】
【０００２】
　従来、スーパーマーケット又は量販店等の店舗で販売用に展示される商品、例えば、蛍光灯は、金属製のパレットを使用していた。
【考案の開示】
【考案が解決しようとする課題】
【０００３】
　しかし、金属製の山積み商品展示パレットは、商品が売り切れて不要になったとき廃棄されていた。このことは、資源的に無駄であり、処理困難な産業廃棄物となり、環境に対する負荷を増大させることにつながる。更に、材料の溶接や曲げ加工を行うため製造には特別な製造業者を必要とし、完成品のパレットを製造業者から店舗に搬入したり、廃棄処分するための搬出、店舗内での移動がそのその債が素材が金属製のため、移動に労力を要するという問題点があった。
【０００４】
　更に、完成品のパレットは大きさが固定であり、種々の商品及び異なる商品の量に適切に適合できるものではなかった。
【０００５】
　従って、本考案の目的は、製造業者によって完成品を搬入することなく、店舗内で、店舗のスタッフでも簡単に組み立てることができ、軽量で移動が容易であり、種々の商品及び量に適合可能であり、廃棄処分も簡単な山積み商品展示パレットを得るにある。特に、本考案は、ディスプレーカートンに収納された環型蛍光ランプ、直管型蛍光ランプ、電球等の商品の山積みに最適である。
【課題を解決するための手段】
【０００６】
　この目的を達成するため、本考案山積み商品展示パレットは、ほぼ矩形の中央底板部材と、前記中央底板部材の左右で、この中央底板部材に対して横方向に制限された範囲内で互いに遠ざかる又は接近可能に摺動自在に連結した１対の横底板部材であって、互いに対向する端縁側を除く三方の端縁から直立するフランジ部を有する１対の横底板部材と、これら１対の横底板部材の前記三方のフランジ部にそれぞれ固定し、後壁の少なくとも一部をもなすほぼコの字１対の側壁部材であって、それぞれ対応の横底板部材と一緒に、中央底板部材に対して前記横方向に制限された範囲内で互いに遠ざかる又は接近するよう摺動自在に、また互いに直接的に、又は中間後壁部材を介してこの中間後壁部材に対しても摺動自在に連結した１対の側壁部材とにより構成し、前記各部材をそれぞれに対応する形状の段ボールシートを折り曲げて形成し、前記部材相互の摺動自在の連結は長孔‐ピン手段を介して行うことを特徴とする。
【考案の効果】
【０００７】
　本考案山積み商品展示パレットによれば、単に段ボールシートを折り曲げて各部材を形成し、部材相互を長孔に対してピン止めするだけで簡単に組み立てることができ、重量も軽量で、移動が容易である。又、素材が前記したように、段ボールシートからなるため、その移動に際し、従来の金属製では周りの商品や什器等を傷つけることもあったが、本考案によれば、周りの商品や什器等を傷つける虞もなく、周囲を気にすることなく作業もはかどる利点がある。
【０００８】
　また、この長孔‐ピン連結によって、１対の横底板部材及びこれら横底板部材にそれぞれ固定した１対の側壁部材は、中央底板部材に対して横方向に制限された範囲内で互いに遠ざかる又は接近可能に摺動自在であるため、種々の商品及び量に応じた大きさに伸縮できる。更に、不要になったとき、簡単に分解して可燃物として簡単に廃棄処分することができる。
【考案を実施するための最良の形態】
【０００９】
　本考案の好適な実施例においては、側壁部材は、商品を取り出し易くするため前面側を下方から上方に向かって拡開するよう切除する。また、前記横底板部材と前記中央底板部材との間に生ずる段差を埋める化粧板を用意するとよい。更に、前記中央底板部材及び横底板部材の底面にキャスターを設けると好適である。更に、また、前記側壁部材の前面及び側面に装飾的なグラフィックを貼付すると、顧客に対する訴求効果が向上する。
【００１０】
　次に、図面につき本考案の好適な実施例を説明する。
【実施例】
【００１１】
　図１は、本考案の好適な実施例の山積み商品展示パレット１の斜視図を示す。本考案によれば、山積み商品展示パレット１は、図２〜図５にそれぞれ展開図を示した段ボールシートを折り曲げて形成する、中央底板部材２と、１対の横底板部材３と、１対の側壁部材４と、及び図示の実施例では左右の側壁部材４相互間を摺動自在に連結する中間後壁部材５とにより構成する。
【００１２】
　ほぼ矩形の中央底板部材２（図２参照）の左右で、この中央底板部材２に対して長孔６で規制される範囲で横方向に互いに遠ざかる又は接近可能に摺動自在に１対の横底板部材３を連結する。横底板部材３は、中央底板部材２の下側に配置し、長孔６の径より大きい直径のヘッドを有するピン７を中央底板部材２の長孔６及び横底板部材３に設けたピン孔８に通してピン端部をかしめることにより中央底板部材２に摺動自在に連結する。
【００１３】
　更に、左右１対の横底板部材３は、互いに対向する端縁側を除く三方の端縁から直立するフランジ部９Ａ，９Ｂを有する。このフランジ部９Ａ，９Ｂは、図３に示すように、それぞれの端縁に設けたフラップを折り曲げることにより形成する。横底板部材３のフランジ部９Ａのフラップは、中央底板部材２のフラップを折り曲げて形成したフランジ部１０をカバーするよう折り曲げる。横底板部材３のピン孔８、中央底板部材２のフランジ部１０に設けた長孔１１，１１、横底板部材３のピン孔８に貫通するピン１２により、横底板部材３のフランジ部９Ａを中央底板部材２のフランジ部１０に摺動自在に連結する。
【００１４】
　これら１対の横底板部材の三方のフランジ部９Ａ，９Ｂの内面に沿って、それぞれに対応の側壁部材４の下方端縁を固定する。この１対の側壁部材４は、ほぼコの字状の形状であり、後壁の少なくとも一部をもなす。図４に示すように、この側壁部材４の前壁に相当する部分を対角線に沿って切除して前壁部分を形成する。これにより、前面側は下方から上方に向かって拡開して商品を取り出し易くなる。
【００１５】
　図示の実施例では、中間後壁部材５（図５参照）を介して左右１対の側壁部材４を相互連結する。この場合、側壁部材４の後壁に相当する部分の上下のフラップ部分４Ｂ（図４参照）を内側に折り曲げ、中間後壁部材５の上下の端縁を抱え込む。更に、中間後壁部材５の上下の端縁に形成した長孔１３（図５参照）を貫通するピン１４により連結する。中、間後壁部材５の上下の端縁は、フラップ部分５Ａを内側に折り曲げて補強する。このとき内側及び外側の長孔１３相互は互いに整列する。これにより、側壁部材４は、それぞれ対応の横底板部材３と一緒に、中央底板部材２に対して長孔１１，１３で規制された範囲内で横方向に互いに遠ざかる又は接近するよう摺動自在となる。中間後壁部材５を介さずに、１対の側壁部材４を互いに直接的に摺動自在に連結することもできる。
【００１６】
　図１で示すように、中央底板部材２と横底板部材３との間には段差を生ずるため、この段差を埋める化粧板（図示せず）を用意し、また、中央底板部材２及び横底板部材３の底面に取付板を介してキャスター（図示せず）を設けると、積載した商品の移動に至便なものとなる。図６に図示されるように、一対の側壁部材４に適宜な絵柄１５を施し、商品１６を山積みするようにすれば、商品１６のの購買意欲を刺激し、商品の売上増大に大いに役立つことができる。
【産業上の利用可能性】
【００１７】
　本考案は、大規模店舗で商品を販売するため多数山積みにして収容する展示パレットとして利用することができる。従って、顧客に対する訴求力を高めるため、側壁部材４の前面及び側面に装飾的なグラフィックを貼付するとよく、従って、デザイン産業の活性化にもつながる。
【図面の簡単な説明】
【００１８】
【図１】本考案山積み商品展示パレットの斜視図である。
【図２】本考案山積み商品展示パレットに使用する中央底板部材として折り曲げる前の段ボールシートの展開図である。
【図３】本考案山積み商品展示パレットに使用する横底板部材として折り曲げる前の段ボールシートの展開図である。
【図４】本考案山積み商品展示パレットに使用する側壁部材として折り曲げる前の段ボールシートの展開図である。
【図５】本考案山積み商品展示パレットに使用する中間後壁部材として折り曲げる前の段ボールシートの展開図である。
【図６】本考案山積み商品展示パレットに使用する側壁部材に絵柄を施し、商品を山積みした状態を示す斜視図である。
【符号の説明】
【００１９】
　１　山積み商品展示パレット
　２　中央底板部材
　３　横底板部材
　４　側壁部材
　５　中間後壁部材
　６　長孔
　７　ピン
　８　ピン孔
　９　フランジ部（横底板部材）
１０　フランジ部（中央底板部材）
１１　長孔
１２　ピン
１３　長孔
１４　ピン
１５　絵柄
１６　商品
【図１】
0003099904.tif 000003
【図２】
0003099904.tif 000004
【図３】
0003099904.tif 000005
【図４】
0003099904.tif 000006
【図５】
0003099904.tif 000007
【図６】
0003099904.tif 000008